(57)【要約】【課題】水道水の水質検査を行うにあたり、住人の手を煩わせることなく、検査用水道水を入手することができる水道メータを提供する。【解決手段】水道メータ内に注水管１２０ならびに検査用容器１３０を設け、検査用容器１３０に検査用水道水を注水するようにした。【選択図】  図１
2008058201.tif 000002
【特許請求の範囲】
【請求項１】
被測定系の使用水量を測定する計量手段と、
検査用水道水を蓄える容器と、
前記容器に水道水を注水する注水手段と
を具備したことを特徴とする水道メータ。
【請求項２】
被測定系の使用水量を測定する第一の計量手段と、
検査用水道水を蓄える容器と、
時刻を計時するタイマと、
前記タイマが設定時刻となった場合に、前記容器に水道水を注水する注水手段と、
前記注水手段に流れる水量を測定する第二の計量手段と、
前記第二の計量手段により測定された水量があらかじめ設定された水量に達した場合に前記注水手段を遮断する遮断手段と
を具備したことを特徴とする水道メータ。
【請求項３】
被測定系の使用水量を測定する第一の計量手段と、
検査用水道水を蓄える容器と、
外部からの電文を受信する通信部と、
前記通信部が注水するよう指示する電文を受信した場合に、前記容器に水道水を注水する注水手段と、
前記注水手段に流れる水量を測定する第二の計量手段と、
前記第二の計量手段により測定された水量があらかじめ設定された水量に達した場合に前記注水手段を遮断する遮断手段と
を具備したことを特徴とする水道メータ。
【発明の詳細な説明】
【技術分野】
【０００１】
本発明は被測定系の使用水量等を測定する水道メータに関する。
【背景技術】
【０００２】
従来より、一般家庭、事業所の使用水量を測定する水道メータが普及してきている。当
該計量器は、被測定系の使用水量を測定する使用量検出手段と、使用量検出手段で検出した使用量をデータに編集する制御部と、制御部にて編集されたデータを表示する表示部とを具備している。（例えば特許文献１）
【特許文献１】実開平５−２７６２５号公報（第４頁、図１）
【発明の開示】
【発明が解決しようとする課題】
【０００３】
従来より、一般家庭、事業所の使用水量を測定する水道メータが普及してきていること
は前述のとおりである。
【０００４】
マンションや一戸建て等の一般家庭の水質検査は一定頻度にて行われる必要がある。水質検査を行うためには各家庭の水道水を検査用容器に注水し検査を行うことが必要とされる。当該検査用容器への注水の際には住人に検査用水道水をもらえるよう頼むことが必要とされ、検査者において煩雑であるという問題点があった。また、住人が不在のときは検査用の水道水を入手できないという問題点があった。
【０００５】
本発明は検査者が水質検査用の水道水を容易に取得することを可能とする水道メータを提供することを目的とする。
【課題を解決するための手段】
【０００６】
上記目的を達成するために、本発明による水道メータは、被測定系の使用水量を測定する計量手段と、検査用水道水を蓄える容器と、前記容器に水道水を注水する注水手段とを
具備したことを特徴とする。
【発明の効果】
【０００７】
本発明によれば、検査者が水質検査用の水道水を容易に取得することを可能とする水道メータを提供することができる。
【発明を実施するための最良の形態】
【０００８】
以下、本発明の実施例を説明する。
【実施例１】
【０００９】
本発明による計量器の実施例１について図１を参照して説明する。
【００１０】
図１において、１００は水道メータ本体であり水道水を供給する水道管に接続される。
【００１１】
１１０は水路で、ステンレス等の金属からなるパイプ等により構成され、外部からの水道水を家庭内へ伝達する。
【００１２】
１１１は第１の計量部で流量に正比例した回転数を示す水車とその回転数を計数する計数回路等にて構成されており、水路１１０に流れる水道水の水量を測定し電気信号に変換している。
【００１３】
１２０は注水管で、ステンレス等の金属からなるパイプ等により構成され、水路１１０から分岐した構造となっており検査用水道水を流通させる。
【００１４】
１２１は遮断弁で、ゴムパッキン等により密封性を持たせた弁により構成され、注水管１２０を流れる検査用水道水の遮断・流通を行う。
【００１５】
１２２は第２の計量部で流量に正比例した回転数を示す水車とその回転数を計数する計数回路等にて構成されており、注水管１２０に流れる検査用水道水の水量を測定し電気信号に変換している。
【００１６】
１３０は検査用容器で、プラスチック等からなる容器により構成されており、注水管１２０の端に取り付けられ検査用水道水をためる。
【００１７】
１４０は表示部で、液晶表示器等により構成されており、計量部１１１にて計量された計量値を表示する。
【００１８】
１５０はタイマで、水晶振動子を用いた時計回路等から構成されており、年月日時分秒を計数する。
【００１９】
１６０は通信部で、有線または無線のインタフェース回路にて構成され、外部からの通
信電文を受信する。
【００２０】
１７０は制御部で、マイクロコンピュータ等により構成され、第1の計量部１１１から
測定した水量にかかる電気信号を受信し表示を制御するとともに、タイマ１５０、通信部１６０、第２の計量部１２２からの信号を受け遮断弁１２１を制御する。
【００２１】
次に、本実施例の動作について図２を参照しつつ説明する。図２は本実施例の注水動作部分のプログラムの流れを表わすフロー図である。本プログラムは制御部１７０内の図示しないプログラムメモリ内に記憶され、制御部１７０の動作を制御している。
【００２２】
計量部１１１は水流の流量に正比例した回転数を示す水車とその回転数を計数する計数回路等にて構成されており、水路１１０に流れる水量を測定し電気信号に変換し制御部１７０に伝達している。
【００２３】
制御部１７０は常時、計量部１１１からの電気信号を受信し、水路１１０に流れる水量を検出し、当該水量を使用量として表示部１４０に表示させる（図中不示）。
【００２４】
注水動作は以下の手順にて行われる。
【００２５】
タイマ部１５０は、年月日時分秒を計数しており、現在時刻を制御部１７０に知らせている。制御部１７０は、あらかじめ設定された設定日時になったと判断した場合（ステップ２０１）、または外部装置から伝送信号にて注水動作を行うよう指示する注水実行命令を受信したと判断した場合（ステップ２０２）に遮断弁１２１を開放し注水動作を行う（ステップ２０３）。なお、設定時刻ではなく、かつ外部装置から注水実行命令を受信していないと判断した場合は、注水動作に移行しない。検査用水道水は遮断弁１２１が開放されると水路１１０、計量部１２２を介し、注水管１２０に流れ込みその水圧にて検査用容器１３０に注水される。計量部１２２は水流の流量に正比例した回転数を示す水車とその回転数を計数する計数回路等にて構成されており、注水管１２０に流れる検査用水道水の水量を測定し電気信号に変換し制御部１７０に伝達している。制御部１７０は計量部１２２からの電気信号をもとに設定水量に達したかの判断を行う（ステップ２０４）。注水量が設定値に達した場合、制御部１７０は遮断弁１２１を閉塞し（ステップ２０５）注水動作を終了する。一方、検査用水道水の注水量が設定値未満であると判断した場合には、制御部１７０は注水動作を継続する（ステップ２０３）。
【００２６】
なお、当該設定時刻ならびに設定水量はプログラムに初期設定、もしくは通信部１６０を介し制御部１７０内の記憶部（図中不示）に設定されるものとする。
【００２７】
このようにすれば、一定日時に検査用水道水が検査用容器１３０に自動的に注水される。水道メータは民家の屋外や、マンションの共通部分に設置されているため、検査者は家屋の住人に依頼することなく試験用水道水を入手することができる。
【００２８】
また、散水動作は通信機能を有するパソコン等外部の機器（図中不示）からの電文による指示にて行われることも可能である。つまり、パソコン等外部機器から有線または無線にて通信部１６０を介し注水動作を行うよう指示された制御部１７０は注水管１２０へ検査用水道水を流通させるように遮断弁１２１を開放し注水動作を行い、一定水量を注水したと判断した場合、注水管１２０への水の供給を遮断するように遮断弁１２１を閉塞し注水動作を終了する。
【００２９】
検査用容器１３０は水道メータ本体１００から取外し可能な構造となっており、水質検査を行う事務所等まで検査者により持ち運び可能な構造となっている。検査用容器を水道メータ本体１００から取外した時に別の検査用容器を水道メータ本体１００に取付けておけば次回の指定日時に水道水の当該検査用容器への注水が行われる。
【００３０】
このようにすれば、設定日時以外に注水したい場合に遠隔通信にて注水することが可能となる。
【００３１】
以上のように、本実施例を用いれば、設定された一定日時になった場合、一定水量の検査用水道水を検査用容器に注水することができる。また、設定日時以外に注水したい場合は遠隔通信にて注水することが可能となる。本実施例を用いれば、住人に検査用水道水をもらえるよう頼むことが必要とされずに検査用水道水を入手することができる。また、住人が不在のときでも検査用水道水を入手することができる。
【００３２】
以上のように、本発明によれば、検査者が検査用水道水を容易に取得することを可能とする水道メータを提供することができる。
【図面の簡単な説明】
【００３３】
【図１】本発明による水道メータの実施例１の構成を示す内部構成図
【図２】本発明による水道メータにかかるプログラムの構成を示す図
【符号の説明】
【００３４】
１００    水道メータ本体
１１０    水路
１１１    計量部
１２０    注水管
１２１    遮断弁
１２２    計量部
１３０    検査用容器
１４０    表示部
１５０    タイマ部
１６０    通信部
１７０    制御部
【図１】
2008058201.tif 000003
【図２】
2008058201.tif 000004